(57)【要約】【課題】放電効率の向上、リサイクル性の向上、及び枠体設計の自由度の向上を図ることができる遊技機を提供することにある。【解決手段】パチンコ遊技機を構成する外枠体Ａ、中枠体（中枠ｂ１と機構枠）、前枠体（前枠ｃ１とガラス枠）のうち、中枠ｂ１をアルミニウム合金でダイカスト成形して製造する。その結果、各種処理装置や各種通路が設けられた機構枠を装備する中枠ｂ１の放電面積を広く確保できる。また、遊技店から撤去されたパチンコ遊技機から中枠ｂ１を取り出すことにより、新たな中枠ｂ１の成形材料として再利用できる。さらに、中枠ｂ１の剛性や耐衝撃性が向上し、枠体設計の自由度を向上させることができる。【選択図】　　　図３
2004073556.tif 000002
【特許請求の範囲】
【請求項１】
機本体を構成する複数の枠体を備えた遊技機であって、該複数の枠体のうち少なくとも一の枠体を、アルミニウム合金又はマグネシウム合金でダイカスト成形した遊技機。
【請求項２】
前記ダイカスト成形された枠体は、遊技機全体を制御する主制御装置、及び遊技球を機内部から機外部に払出すための払出装置を制御する払出制御装置が設けられた枠体である請求項１に記載の遊技機。
【請求項３】
前記ダイカスト成形された枠体は、機内部において遊技球を貯留する球タンク、及び該球タンクに貯留された前記遊技球を機外部に配設された球皿へ案内する球通路が設けられた枠体である請求項１に記載の遊技機。
【請求項４】
前記複数の枠体は、前記機本体を機台上に設置するための第１の枠体と、前記第１の枠体に装着され、遊技盤、遊技機全体を制御する主制御装置、及び遊技球を機内部から機外部に払出すための払出装置を制御する払出制御装置が設けられた第２の枠体と、前記第２の枠体に装着され、前記遊技盤を機前面側から透視可能に保護する第３の枠体であり、
前記第２の枠体及び第３の枠体のうち少なくともいずれか一方の枠体が、前記ダイカスト成形された請求項１に記載の遊技機。
【請求項５】
前記複数の枠体は、前記機本体を機台上に設置するための第１の枠体と、前記第１の枠体に装着され、遊技盤、機内部において遊技球を貯留する球タンク、及び該球タンクに貯留された前記遊技球を機外部に配設された球皿へ案内する球通路が設けられた第２の枠体と、前記第２の枠体に装着され、前記遊技盤を機前面側から透視可能に保護する第３の枠体であり、
前記第２の枠体及び第３の枠体のうち少なくともいずれか一方の枠体が、前記ダイカスト成形された請求項１に記載の遊技機。
【発明の詳細な説明】
【０００１】
【発明の属する技術分野】
本発明は、機本体を構成する複数の枠体を備えた遊技機に関するものである。
【０００２】
【従来の技術】
従来、遊技機の一種であるパチンコ機は、外枠、中枠、前枠といわれる複数の枠体を備えており、これらの枠体が組み付けられて機本体が構成されている。前記外枠は、一部に木材を使用し、全体が縦長方形となるように枠組み形成されており、機本体を機台（所謂「パチンコ島」）上に設置するための枠体となっている。前記中枠は、外枠の開口前側に開閉可能に装着され、遊技盤、可変表示装置、発射装置、及び上下の球皿が設けられるようになっている。また、中枠は、払出装置、各種球通路、球タンク、各種制御装置が設けられる機構枠を装備した枠体となっている。前記前枠は、中枠の前側に開閉可能に装着され、遊技盤を機前面側から透視可能とする透視窓が形成されると共に、各種の装飾部材（電飾ランプなど）が設けられるようになっている。また、前枠は、透視窓を覆うように遊技盤を透視保護する板ガラスを支持するガラス枠を装備した枠体となっている。各枠体のうち、少なくとも外枠、中枠、機構枠、及び前枠には、合成樹脂（例えば、アクリロニトリル・ブタジエン・スチレン（ＡＢＳ））で成形された部材が用いられている。そして、各枠体は、金属製の連結具（蝶番）によって組み付けられている。
【０００３】
このようなパチンコ機では、発射装置の操作により遊技盤に発射された遊技球が、該遊技盤に配設された始動入賞口に入賞したことを契機に、複数種類の図柄を変動させて図柄組み合わせを表示する図柄組み合わせゲームが行われている。そして、図柄組み合わせゲームの結果、全列の図柄が同一種類からなる図柄組み合わせが表示された場合には、大当り状態となり、多数の遊技球（賞球）を獲得できるチャンスが遊技者に付与されるようになっている。
【０００４】
【発明が解決しようとする課題】
ところで、パチンコ機において、遊技者に付与される賞球となる遊技球は、機内部に配設された球タンクに貯留されている。そして、前記遊技球は、払出装置の駆動により、所定の球通路を案内されて上下の球皿に払出されるようになっている。このとき遊技球は、球タンクのタンク壁、球通路の通路壁、又は球同士で擦れ合いながら案内されているため、遊技球には静電気が帯電することになる。また、遊技盤に発射された遊技球が流下案内される際に、遊技盤に配設された各種役物や釘などと擦れ合うため、前述同様に遊技球には静電気が帯電することになる。そのため、枠体の成形材料として合成樹脂を採用している場合には、枠体全体に静電気が帯電することになり、この静電気が各種制御装置を誤作動させるノイズの要因となる虞があった。従って、従来においては、例えば、前述の金属製の連結具などにアース線を接続し、枠体に帯電した静電気を自然放電することが行われている。しかしながら、アース線を接続する部位は、組み付け後のパチンコ機において、樹脂成形された枠体に接触している金属製部品に限定されるため、放電効率が悪いという問題があった。
【０００５】
また、近時においては、資源の有効利用が広く叫ばれており、パチンコ機などの遊技機においても、リサイクル可能な部品を採用することが望ましいと考えられる。しかしながら、樹脂成形された枠体は、遊技機の軽量化に貢献すると共に、加工性に富むため多様なデザインを施しやすく意匠性の向上を図ることが可能である反面、リサイクルする際の再加熱・溶解によって樹脂の劣化を招くため、リサイクル性に乏しかった。そのため、リサイクルが叫ばれている状況下で、樹脂成形された枠体を採用し続けることが適切であるとは言い難い。特に、近時では、パチンコ機の開発サイクルが短期化し、市場に多種のパチンコ機が多量に投入されることから、リサイクルの必要性は年々増加している。
【０００６】
また、近時のパチンコ機では、市場における競争の激化に伴って、遊技者を引きつけるための意匠性や部品交換などのメンテナンス性の重要度も増している。そのため、機本体を構成する各枠体は、これらの市場の要求が満たされるように設計されていることが望ましい。その一方で、各枠体は、前述のように各種の部品類が設けられることから、その重量に耐え得る必要があると共に、外部からの衝撃にも耐え得る必要がある。しかしながら、合成樹脂で成形された枠体は、剛性や耐衝撃性が低いため、市場の要求を満たすように枠体を設計することが難しく、設計の自由度が制限されていた。
【０００７】
この発明は、このような従来の技術に存在する問題点に着目してなされたものであり、その目的は、放電効率の向上、リサイクル性の向上、及び枠体設計の自由度の向上を図ることができる遊技機を提供することにある。
【０００８】
【課題を解決するための手段】
上記問題点を解決するために、請求項１に記載の発明は、機本体を構成する複数の枠体を備えた遊技機であって、該複数の枠体のうち少なくとも一の枠体を、アルミニウム合金又はマグネシウム合金でダイカスト成形したことを要旨とする。
【０００９】
請求項２に記載の発明は、請求項１に記載の遊技機において、前記ダイカスト成形された枠体は、遊技機全体を制御する主制御装置、及び遊技球を機内部から機外部に払出すための払出装置を制御する払出制御装置が設けられた枠体であることを要旨とする。
【００１０】
請求項３に記載の発明は、請求項１に記載の遊技機において、前記ダイカスト成形された枠体は、機内部において遊技球を貯留する球タンク、及び該球タンクに貯留された前記遊技球を機外部に配設された球皿へ案内する球通路が設けられた枠体であることを要旨とする。
【００１１】
請求項４に記載の発明は、請求項１に記載の遊技機において、前記複数の枠体は、前記機本体を機台上に設置するための第１の枠体と、前記第１の枠体に装着され、遊技盤、遊技機全体を制御する主制御装置、及び遊技球を機内部から機外部に払出すための払出装置を制御する払出制御装置が設けられた第２の枠体と、前記第２の枠体に装着され、前記遊技盤を機前面側から透視可能に保護する第３の枠体であり、前記第２の枠体及び第３の枠体のうち少なくともいずれか一方の枠体が、前記ダイカスト成形されたことを要旨とする。
【００１２】
請求項５に記載の発明は、請求項１に記載の遊技機において、前記複数の枠体は、前記機本体を機台上に設置するための第１の枠体と、前記第１の枠体に装着され、遊技盤、機内部において遊技球を貯留する球タンク、及び該球タンクに貯留された前記遊技球を機外部に配設された球皿へ案内する球通路が設けられた第２の枠体と、前記第２の枠体に装着され、前記遊技盤を機前面側から透視可能に保護する第３の枠体であり、前記第２の枠体及び第３の枠体のうち少なくともいずれか一方の枠体が、前記ダイカスト成形されたことを要旨とする。
【００１３】
【発明の実施の形態】
以下、本発明をその一種であるパチンコ遊技機（以下、「パチンコ機」という）に具体化した一実施形態を図１〜図６に基づき説明する。なお、以下の説明において、「上」「下」「左」「右」「前（表）」、「後（裏）」は、パチンコ機１０を機表側（遊技者側）から見た場合の「上」「下」「左」「右」「前（表）」「後（裏）」を示すものとする。
【００１４】
本実施形態のパチンコ機１０は、その主要構成として、図１に示すように、第１の枠体としての外枠体Ａ、第２の枠体としての中枠体Ｂ、第３の枠体としての前枠体Ｃの複数の枠体を備えている。また、同じく主要構成として、上皿ユニットＤ、及び下皿ユニットＥを備えている。そして、パチンコ機１０は、外枠体Ａ、中枠体Ｂ、前枠体Ｃ、上皿ユニットＤ、及び下皿ユニットＥが組み付けられることにより、機本体が構成されている。
【００１５】
具体的には、機体の外郭をなす外枠体Ａの開口前側に、各種の遊技用構成部材をセット可能な中枠体Ｂが装着されている。前記中枠体Ｂには、遊技盤１１が設けられている。遊技盤１１の遊技領域１１ａには、複数列（例えば３列）の図柄を変動させて図柄組み合わせゲームを行う可変表示装置１２、複数の入賞口（始動入賞口１３、大入賞口１４、普通入賞口１５）、及び遊技領域１１ａに発射された遊技球を流下案内する釘１６や風車１７が配設されている。また、中枠体Ｂの前側には、機内部に配設された遊技盤１１を透視可能に保護する前枠体Ｃが装着されている。
【００１６】
また、中枠体Ｂの前側には、上皿ユニットＤが開閉可能に装着されている。上皿ユニットＤは、機外部において遊技球を実球として貯留する球皿としての上皿１８を備えている。上皿ユニットＤには、機内部から払出された遊技球の受入れ口となる第１上皿払出口１９が設けられており、該第１上皿払出口１９は上皿１８の上流側に配設されている。上皿ユニットＤには、上皿１８に貯留された遊技球を機内部に取込む取込口（図示しない）が設けられており、該取込口は上皿１８の下流側に配設されている。
【００１７】
また、中枠体Ｂの前側には、下皿ユニットＥが開閉可能に装着されている。下皿ユニットＥは、機外部において遊技球を実球として貯留する球皿としての下皿２０を備えている。下皿ユニットＥには、機内部から払出された遊技球の受入れ口となる第１下皿払出口２１が設けられており、該第１下皿払出口２１は下皿２０に連設されている。下皿ユニットＥには、遊技球の発射を操作する発射装置２２が配置されている。そして、上皿１８から取込まれた遊技球は、発射装置２２に案内され、該発射装置２２の操作によって遊技盤１１の遊技領域１１ａに発射されるようになっている。
【００１８】
以下、外枠体Ａ、中枠体Ｂ、及び前枠体Ｃの具体的な構成を図２〜図６に基づき説明する。
前記外枠体Ａは、該外枠体Ａの枠本体をなす外枠ａ１を備えている（図３）。外枠ａ１は、縦長方形に枠組み形成されている。外枠ａ１の左上方には、中枠体Ｂを装着するための第１枠連結具ＲＫ１が設けられている。外枠ａ１は、機台Ｋ（所謂、パチンコ島であり、図１に二点鎖線で示す）に釘で打ち付けられて固定されるようになっている。即ち、外枠体Ａ（外枠ａ１）は、機台Ｋ上にパチンコ機１０（機本体）を設置するための枠体とされている。
【００１９】
前記中枠体Ｂは、該中枠体Ｂの枠本体をなす中枠ｂ１に対し、各種処理装置や各種通路が設けられる機構枠ｂ２を装備した枠体とされている（図３〜図５）。前記中枠ｂ１には、遊技盤１１をセットするセット口としての第１セット口２３が設けられている。中枠ｂ１の前面側には、発射装置２２から発射された遊技球を遊技盤１１の遊技領域１１ａに案内する発射レール２４が設けられている。中枠ｂ１の後面側には、遊技領域１１ａに発射され、各入賞口１３〜１５に入賞しなかった遊技球（所謂アウト球）を受入れる第１アウト路２５が設けられている。中枠ｂ１には、上皿ユニットＤの第１上皿払出口１９に連なる第２上皿払出口２６が設けられている。中枠ｂ１には、下皿ユニットＥの第１下皿払出口２１に連なる第２下皿払出口２７が設けられている。中枠ｂ１には、発射装置２２を設置するための設置口２８が設けられている。中枠ｂ１の左上方には、中枠体Ｂを外枠体Ａに装着し、かつ、前枠体Ｃを装着するための第２枠連結具ＲＫ２が設けられている。
【００２０】
前記機構枠ｂ２には、中枠ｂ１の第１セット口２３と略同一の大きさをなす第２セット口２９が設けられている。前記第１セット口２３と第２セット口２９によって、遊技盤１１が保持されるようになっている。機構枠ｂ２には、各入賞口１３〜１５に入賞した遊技球（所謂セーフ球）をセーフ球検出装置（図示しない）に案内するセーフ球集合樋を構成する下側セーフ球通路３０が設けられている。機構枠ｂ２には、下側セーフ球通路３０の下流側に、セーフ球検出装置を装着する装着部３１と検出後のセーフ球を排出する第１セーフ球排出路３２が設けられている。機構枠ｂ２には、上皿１８が遊技球で満杯状態である場合に溢れ球となった遊技球を下皿２０に案内する溢球通路３３が設けられている。前記下側セーフ球通路３０、第１セーフ球排出路３２、溢球通路３３は、機構枠ｂ２の前面側に配設されている（図４）。機構枠ｂ２には、中枠ｂ１の第２上皿払出口２６に連なる第３上皿払出口３４と、溢球通路３３の上流側に連なる第３下皿払出口３５が設けられている。
【００２１】
また、機構枠ｂ２には、機内部において遊技球を実球として貯留する球タンク３６が設けられている。この球タンク３６には、島設備に装備された球供給樋（図示しない）から遊技球が供給されるようになっている。機構枠ｂ２には、球タンク３６から受入れた遊技球を整流する整流樋３７が設けられている。機構枠ｂ２には、整流樋３７から受入れた遊技球を流下案内する区分供給経路部３８が設けられている。機構枠ｂ２には、区分供給経路部３８を流下案内された遊技球を通過検出し、一定個数単位で払出す払出装置３９が設けられている。機構枠ｂ２には、払出装置３９から払出された遊技球を受入れ、第３上皿払出口３４又は第３下皿払出口３５に案内する案内通路４０が設けられている。前記球タンク３６、整流樋３７、区分供給経路部３８、払出装置３９、案内通路４０は、機構枠ｂ２の後面側に配設されている（図２，図５）。本実施形態のパチンコ機１０では、整流樋３７、区分供給経路部３８、案内通路４０、及び溢球通路３３によって球通路を構成している。
【００２２】
また、機構枠ｂ２には、遊技機全体を制御する主制御装置としての主制御基板４１が設けられている。主制御基板４１は、機構枠ｂ２の後面側に、基板ケース４１ａに収納された状態で配設されている（図２）。機構枠ｂ２には、払出装置３９の駆動を制御する払出制御装置としての払出制御基板４２が設けられている。払出制御基板４２は、機構枠ｂ２の後面側に、基板ケース４２ａに収納された状態で配設されている（図２）。前記主制御基板４１と払出制御基板４２は、所定の信号線で接続されている。主制御基板４１は、各入賞口１３〜１５に遊技球が入賞したことに関連して、払出制御基板４２に遊技者に付与すべき賞球数を示す制御信号を出力するようになっている。そして、払出制御基板４２は、払出装置３９に対して遊技球の払出しを指示する制御信号を出力し、払出装置３９の駆動を制御するようになっている。払出制御基板４２の制御によって払出装置３９が駆動し、上皿１８（又は下皿２０）には所定個数の遊技球（賞球）が払出されるようになっている。
【００２３】
また、機構枠ｂ２の前面側には、補助盤ｂ３が取着されるようになっている（図４，図５）。
前記補助盤ｂ３には、セーフ球集合樋を構成する上側セーフ球通路４３が設けられている。補助盤ｂ３には、機構枠ｂ２の第１セーフ球排出路３２と連なる第２セーフ球排出路４４が設けられている。補助盤ｂ３には、中枠ｂ１の第１アウト路２５に連なる第２アウト路４５が設けられている。補助盤ｂ３には、第２セーフ球排出路４４と第２アウト路４５の下流側に、遊技球を機外に排出するための球排出路４６が連設されている。この球排出路４６によって遊技球（検出後のセーフ球又はアウト球）は、島設備に装備された球回収樋（図示しない）に案内されるようになっている。前記上側セーフ球通路４３、第２セーフ球排出路４４、第２アウト路４５、及び球排出路４６は、補助盤ｂ３の後面側に配設されている。また、補助盤ｂ３には、中枠ｂ１の第２上皿払出口２６と機構枠ｂ２の第３上皿払出口３４に連なる第４上皿払出口４７が設けられている。補助盤ｂ３には、中枠ｂ１の第２下皿払出口２７と機構枠ｂ２の溢球通路３３の下流側に連なる第４下皿払出口４８が設けられている。
【００２４】
そして、中枠体Ｂは、機構枠ｂ２を補助盤ｂ３が取着された状態で中枠ｂ１の後側に装着することにより構成されている。この中枠体Ｂは、外枠ａ１の第１枠連結具ＲＫ１と中枠ｂ１の第２枠連結具ＲＫ２を連結することにより、外枠体Ａの前側に開閉及び着脱自在に装着されるようになっている。
【００２５】
前記前枠体Ｃは、該前枠体Ｃの枠本体をなす前枠ｃ１に対して、透視保護部材としての板ガラスＧＡを支持する支持枠としてのガラス枠ｃ２を装備した枠体とされている（図３，図６）。
【００２６】
前記前枠ｃ１には、遊技盤１１の遊技領域１１ａを機前面側から透視可能とする透視窓としての窓口５０が設けられている。前枠ｃ１の前面側には、遊技の状態に応じて点灯（点滅）又は消灯などの発光装飾を行う各種ランプ５１が設けられている。前枠ｃ１の左後面側には、前枠体Ｃを中枠体Ｂに装着するための第３枠連結具ＲＫ３が設けられている。前枠ｃ１の左後面側には、ガラス枠ｃ２を開閉及び着脱自在に装着するための連結具（図示しない）が設けられている。前枠ｃ１の上後面側には、ガラス枠ｃ２の開状態及び閉状態を保持するための開閉保持具５７が設けられている。
【００２７】
前記ガラス枠ｃ２は、全体が方形状をなすように、上枠フレーム５２、下枠フレーム５３、左枠フレーム５４及び右枠フレーム５５を直角に枠組み形成して構成されている。枠組み形成後のガラス枠ｃ２の開口面は、前枠ｃ１の窓口５０よりも広く（大きく）形成されている。また、上枠フレーム５２、下枠フレーム５３及び左枠フレーム５４には、前後２列の支持溝５６が形成されている。そして、２枚の板ガラスＧＡは、ガラス枠ｃ２の右側、即ち、右枠フレーム５５側から支持溝５６に挿入され、セットされるようになっている。ガラス枠ｃ２にセットされた板ガラスＧＡは、前枠ｃ１の窓口５０を覆うように遊技盤１１の遊技領域１１ａを透視可能に保護している。（図１参照）。
【００２８】
そして、前枠体Ｃは、ガラス枠ｃ２を前枠ｃ１の後側に装着することにより構成されている。この前枠体Ｃは、中枠ｂ１の第２枠連結具ＲＫ２と前枠ｃ１の第３枠連結具ＲＫ３を連結することにより、中枠体Ｂの前側に開閉及び着脱自在に装着されるようになっている。
【００２９】
このように構成されたパチンコ機１０において、本実施形態では、外枠体Ａ（外枠ａ１）、中枠体Ｂ（中枠ｂ１と機構枠ｂ２）及び前枠体Ｃ（前枠ｃ１とガラス枠ｃ２）のうち、中枠ｂ１がアルミニウム合金でダイカスト成形されている。具体的には、所望の中枠ｂ１の形状に成形された金型（固定型と可動型）を用意し、該金型内に溶解したアルミニウム合金を所定の圧力を加えながら流し込むことにより、中枠ｂ１が一体成形されている。一方、機構枠ｂ２及び前枠ｃ１は、合成樹脂（本実施形態では、アクリロニトリル・ブタジエン・スチレン（ＡＢＳ））により成形されている。また、外枠ａ１は、木材と合成樹脂（ＡＢＳ）で成形された部材を組み合わせて構成されている。また、ガラス枠ｃ２は、独立した金属製の各フレーム５２〜５５を組み合わせて構成されている。前記金属製の中枠ｂ１には、機構枠ｂ２（及び補助盤ｂ３）が装着されると共に、該中枠体Ｂが機台Ｋ上に固定される外枠体Ａ（外枠ａ１）の開口前側に装着される。また、前枠ｃ１には、金属製のガラス枠ｃ２が装着されると共に、該前枠体Ｃが中枠体Ｂの前側に装着される。
【００３０】
また、金属製の中枠ｂ１には、図示しないアース線が接続されるようになっている。このアース線は、中枠ｂ１全体を金属製としていることから、その接続部位が限定されず、パチンコ機１０の設計仕様に応じて任意の位置に接続される。即ち、中枠ｂ１全体がアース線を接続可能な部位となる。
【００３１】
そして、パチンコ機１０で遊技が行われると、球タンク３６に貯留されている遊技球は、払出装置３９の駆動により、整流樋３７、区分供給経路部３８及び案内通路４０を通じて上皿１８に案内される。又は、上皿１８が満杯状態である場合、遊技球は、案内通路４０及び溢球通路３３を通じて下皿２０に案内される。この間、遊技球には、球タンク３６のタンク壁、整流樋３７、区分供給経路部３８、案内通路４０及び溢球通路３３の各通路壁、又は球同士で擦れ合うことで静電気が帯電することになる。また、遊技盤１１の遊技領域１１ａに発射された遊技球には、流下案内される間、釘１６や風車１７に擦れ合うことで静電気が帯電することになる。この遊技球に帯電された静電気は、中枠ｂ１に接続されたアース線を通じて外部に自然放電されるようになっている。本実施形態では、中枠ｂ１全体を金属製（アルミニウム合金）としているため、放電面積が広く確保され、遊技球に帯電された静電気を効率良く外部に放電することが可能となる。そのため、主制御基板４１や払出制御基板４２を誤作動させるノイズの要因である静電気を排除し得る。
【００３２】
また、このように構成されたパチンコ機１０が遊技店から撤去された場合には、該パチンコ機１０を回収し、中枠ｂ１を脱着する。そして、該中枠ｂ１から各種の部品を取り外した後、再加熱して溶解する。この溶解されたアルミニウム合金は、新たな中枠ｂ１の成形材料として再び利用することが可能となる。また、金属製の中枠ｂ１は、剛性や耐衝撃性が向上されるため、多くの部品類が搭載される機構枠ｂ２が装着された場合でも、その重量に耐え得る。そのため、中枠ｂ１の設計の自由度を向上し得る。
【００３３】
従って、実施形態によれば、以下に示す効果を得ることができる。
（１）外枠体Ａ（外枠ａ１）、中枠体Ｂ（中枠ｂ１と機構枠ｂ２）、前枠体Ｃ（前枠ｃ１とガラス枠ｃ２）のうち、本実施形態では中枠ｂ１をアルミニウム合金でダイカスト成形した。そのため、アース線を接続する部位が限定されることなく、広い放電面積を確保することができる。従って、放電効率の向上を図ることができる。
【００３４】
（２）また、アルミニウム合金は、再利用に際して再加熱・溶解させても、樹脂に比して劣化が起こり難い（又は劣化スピードが遅い）。そのため、再び枠体の成形材料として用いることも可能であり、リサイクル性の向上を図ることができる。そして、リサイクル性を向上させることで、資源の有効利用に好適に対応可能なパチンコ機１０を提供することができる。
【００３５】
（３）また、金属を枠体の成形材料に採用することにより、樹脂製の枠体に比して、剛性や耐衝撃性を向上させることができる。従って、枠体設計の自由度の向上を図ることができる。
【００３６】
（４）また、剛性を向上させることにより樹脂製の枠体に比して薄肉の枠体を成形することができる。本実施形態では、樹脂製の中枠（５〜６ｍｍ程度）と略同じ剛性を有する中枠ｂ１を薄肉（２〜２．５ｍｍ程度）で成形することができる。従って、パチンコ機１０の薄型化に貢献することができる。
【００３７】
（５）また、金属を枠体の成形材料とし、ダイカスト成形することにより、樹脂を成形材料とした場合に比して、枠体製造時における枠体の寸法精度を向上させることができる。従って、枠体の製造コストの低減に貢献することができる。
【００３８】
（６）また、枠体を金属製とし、放電効率の向上を図ることで、上皿１８（又は下皿２０）には、静電気が排除された状態で遊技球が払出される。従って、上皿１８（又は下皿２０）に貯留された遊技球に触れた遊技者が静電気によって不快な思いをしてしまうことを抑制できる。
【００３９】
（７）また、中枠ｂ１は、主制御基板４１、払出制御基板４２、球タンク３６、整流樋３７、区分供給経路部３８、払出装置３９、案内通路４０など、遊技の中枢をなす部品類が搭載される機構枠ｂ２を装備する枠体である。即ち、中枠ｂ１は、アース線を接続して放電を行う必要性の高い枠体となっている。従って、中枠ｂ１を金属製とし、放電効率の向上を図ることで、パチンコ機１０の誤作動要因を確実に排除することができる。
【００４０】
（８）また、中枠ｂ１は、前述のように、多くの部品類が設けられるため、パチンコ機１０を構成する枠体の中で最も荷重の掛かる枠体となっている。そのため、中枠ｂ１の成形材料として剛性の高い金属を採用することで、中枠ｂ１の強度を向上させることができる。従って、パチンコ機１０全体の強度を向上させることもできる。
【００４１】
（９）中枠ｂ１を金属製にする一方で、前枠ｃ１を加工性に富んだ樹脂製としている。そのため、遊技者から視認可能な前枠ｃ１の意匠（デザイン）の自由度を従来と同様に確保することができる。従って、前枠ｃ１の意匠によって遊技者に与える遊技効果を維持しつつ、金属製の中枠ｂ１を採用することによる前述の各効果を得ることができる。
【００４２】
なお、前記実施形態は以下のように変更してもよい。
・前記実施形態において、枠体の成形材料をアルミニウム合金に代えてマグネシウム合金としても良い。
【００４３】
・前記実施形態において、中枠ｂ１に加えて又は代えて、機構枠ｂ２をアルミニウム合金（又はマグネシウム合金）でダイカスト成形しても良い。このように構成すれば、前記実施形態の効果（１）〜（９）と同様の効果を得ることができる。
【００４４】
・前記実施形態において、前枠ｃ１をアルミニウム合金（又はマグネシウム合金）でダイカスト成形しても良い。このように構成すれば、前記実施形態の効果（１）〜（６）に加えて、次の効果を得ることができる。即ち、前枠ｃ１は、遊技者が視認可能で、かつ、外部からの衝撃が加わりやすい枠体であり、該前枠ｃ１を金属製にして剛性を高めることで、枠体設計の自由度をさらに向上させることができる。また、前枠ｃ１は、中枠ｂ１に装着されているため、中枠ｂ１に帯電された静電気を、前枠ｃ１を通じて効率良く放電することができる。
【００４５】
・前記実施形態において、ガラス枠ｃ２をアルミニウム合金（又はマグネシウム合金）でダイカスト成形し、一体成形しても良い。このように構成すれば、前枠ｃ１を合成樹脂製とした場合であっても、該前枠ｃ１の後側に装着されるガラス枠ｃ２によって前枠ｃ１の剛性や耐衝撃性を向上させることができる。従って、前枠ｃ１の設計の自由度を向上させることができる。さらに、ガラス枠ｃ２を一体成形することにより、独立した複数フレームを枠組み形成した場合に生じる寸法誤差によるがたつきを抑制すると共に、ガラス枠ｃ２の歩留まりを向上させることができる。また、一体成形されたガラス枠ｃ２を金属製の前枠ｃ１に装着しても良い。
【００４６】
・前記実施形態において、外枠ａ１をアルミニウム合金（又はマグネシウム合金）でダイカスト成形しても良い。
・前記実施形態において、中枠体Ｂ（中枠ｂ１と機構枠ｂ２）及び前枠体Ｃ（前枠ｃ１とガラス枠ｃ２）をアルミニウム合金（又はマグネシウム合金）でダイカスト成形しても良い。
【００４７】
・前記実施形態では、中枠ｂ１に対して機構枠ｂ２を装備した中枠体Ｂを備えているが、中枠ｂ１と機構枠ｂ２が一体化された中枠体を備え、該中枠体をアルミニウム合金（又はマグネシウム合金）でダイカスト成形しても良い。この一体化された中枠体には、遊技盤１１、球タンク３６、整流樋３７、区分供給経路部３８、払出装置３９、案内通路４０、溢球通路３３、主制御基板４１及び払出制御基板４２が設けられる。
【００４８】
・前記実施形態では、前枠ｃ１に対してガラス枠ｃ２を装備した前枠体Ｃを備えているが、前枠ｃ１とガラス枠ｃ２が一体化された前枠体を備え、該前枠体をアルミニウム合金（又はマグネシウム合金）でダイカスト成形しても良い。この一体化された前枠体には、窓口５０、ランプ５１が設けられる。
【００４９】
・前記実施形態において、上皿１８（単一の球皿）のみを設け、下皿２０を省略しても良い。この場合には、溢球通路３３も省略され、整流樋３７、区分供給経路部３８及び案内通路４０によって球通路が構成される。
【００５０】
・前記実施形態では、機構枠ｂ２に、主制御基板４１、払出制御基板４２及び球通路（整流樋３７、区分供給経路部３８、案内通路４０、溢球通路３３）が設けられているが、中枠ｂ１に主制御基板４１及び払出制御基板４２を設けても良いし、中枠ｂ１に前記球通路を設けても良い。
【００５１】
・前記実施形態は、第１種に分類されるパチンコ機１０（「デジパチ」）を例にして説明したが、第２種に分類されるパチンコ機（「羽根モノ」）、第３種に分類されるパチンコ機（「権利モノ」）、一般電役に分類されるパチンコ機においても前記実施形態と同様に適用できる。
【００５２】
・前記実施形態において、中枠ｂ１や機構枠ｂ２に設けられる各種部品、通路などの配置、形状、大きさは、任意に変更しても良い。
・前記実施形態では、ガラス枠ｃ２が横入れ形態で構成されているが、ガラス枠ｃ２の形態は任意に変更しても良い。縦入れ形態のガラス枠でも良い。
【００５３】
・前記実施形態において、セーフ球の検出を各入賞口１３〜１５に配設されたセンサで行い、セーフ球検出装置を省略しても良い。この場合、機構枠ｂ２に設けられた装着部３１も省略され、機構枠ｂ２には下側セーフ球通路３０と第１セーフ球排出路３２が連なるように設けられる。
【００５４】
次に、前記実施形態及び別例から把握できる技術的思想を以下に追記する。
（イ）前記複数の枠体は、前記機本体を機台上に設置するための第１の枠体と、前記第１の枠体に装着され、遊技盤、遊技機全体を制御する主制御装置、及び遊技球を機内部から機外部に払出すための払出装置を制御する払出制御装置が設けられる第２の枠体と、前記第２の枠体に装着され、前記遊技盤を機前面側から透視可能に保護する第３の枠体であり、前記第２の枠体は、前記遊技盤をセットするセット口が設けられた中枠に対して、前記主制御装置及び払出制御装置が設けられた機構枠を装備した形態とされており、前記中枠及び機構枠のうち少なくともいずれか一方が、前記ダイカスト成形された請求項１に記載の遊技機。
【００５５】
（ロ）前記複数の枠体は、前記機本体を機台上に設置するための第１の枠体と、前記第１の枠体に装着され、遊技盤、機内部において遊技球を貯留する球タンク、及び該球タンクに貯留された前記遊技球を機外部に配設された球皿へ案内する球通路が設けられた第２の枠体と、前記第２の枠体に装着され、前記遊技盤を機前面側から透視可能に保護する第３の枠体であり、前記第２の枠体は、前記遊技盤をセットするセット口が設けられた中枠に対して、前記球タンク及び球通路が設けられた機構枠を装備した形態とされており、前記中枠及び機構枠のうち少なくともいずれか一方が、前記ダイカスト成形された請求項１に記載の遊技機。
【００５６】
（ハ）前記複数の枠体は、前記機本体を機台上に設置するための第１の枠体と、前記第１の枠体に装着され、遊技盤、遊技機全体を制御する主制御装置、及び遊技球を機内部から機外部に払出すための払出装置を制御する払出制御装置が設けられた第２の枠体と、前記第２の枠体に装着され、前記遊技盤を機前面側から透視可能に保護する第３の枠体であり、前記第３の枠体は、前記遊技盤の遊技領域を機前面側から透視可能とする透視窓が設けられた前枠に対して、前記透視窓を覆うように前記遊技領域を透視可能に保護する透視保護部材を支持する支持枠を装備した形態とされており、前記前枠及び支持枠のうち少なくともいずれか一方が、前記ダイカスト成形された請求項１に記載の遊技機。
【００５７】
（ニ）前記複数の枠体は、前記機本体を機台上に設置するための第１の枠体と、前記第１の枠体に装着され、遊技盤、機内部において遊技球を貯留する球タンク、及び該球タンクに貯留された前記遊技球を機外部に配設された球皿へ案内する球通路が設けられた第２の枠体と、前記第２の枠体に装着され、前記遊技盤を機前面側から透視可能に保護する第３の枠体であり、前記第３の枠体は、前記遊技盤の遊技領域を機前面側から透視可能とする透視窓が設けられた前枠に対して、前記透視窓を覆うように前記遊技領域を透視可能に保護する透視保護部材を支持する支持枠を装備した形態とされており、前記前枠及び支持枠のうち少なくともいずれか一方が、前記ダイカスト成形された請求項１に記載の遊技機。
【００５８】
（ホ）前記複数の枠体は、前記機本体を機台上に設置するための外枠と、前記外枠に開閉可能に装着され、遊技盤をセットするセット口が設けられた中枠と、前記中枠の後側に装着され、遊技機全体を制御する主制御装置及び遊技球を機内部から機外部に払出すための払出装置を制御する払出制御装置が設けられた機構枠と、前記中枠の前側に開閉可能に装着され、前記遊技盤の遊技領域を機前面側から透視可能とする透視窓が設けられた前枠と、前記前枠の後側に装着され、前記透視窓を覆うように前記遊技領域を透視可能に保護する透視保護部材を支持する支持枠であり、前記中枠、機構枠、前枠及び支持枠のうち、少なくとも一の枠体が、前記ダイカスト成形された請求項１に記載の遊技機。
【００５９】
（ヘ）前記複数の枠体は、前記機本体を機台上に設置するための外枠と、前記外枠に開閉可能に装着され、遊技盤をセットするセット口が設けられると共に、前側に機外部において遊技球を貯留する球皿が設けられた中枠と、前記中枠の後側に装着され、機内部において遊技球を貯留する球タンク及び該球タンクに貯留された前記遊技球を前記球皿へ案内する球通路が設けられた機構枠と、前記中枠の前側に開閉可能に装着され、前記遊技盤の遊技領域を機前面側から透視可能とする透視窓が設けられた前枠と、前記前枠の後側に装着され、前記透視窓を覆うように前記遊技領域を透視可能に保護する透視保護部材を支持する支持枠であり、前記中枠、機構枠、前枠及び支持枠のうち、少なくとも一の枠体が、前記ダイカスト成形された請求項１に記載の遊技機。
【００６０】
【発明の効果】
本発明によれば、放電効率の向上、リサイクル性の向上、及び枠体設計の自由度の向上を図ることができる。
【図面の簡単な説明】
【図１】パチンコ遊技機の機表側を示す正面図。
【図２】パチンコ遊技機の機裏側を示す背面図。
【図３】外枠、中枠、前枠を機表側から見た場合の分解斜視図。
【図４】中枠の下部、機構枠の下部及び補助盤を機表側から見た場合の分解斜視図。
【図５】中枠の下部、機構枠の下部及び補助盤を機裏側から見た場合の分解斜視図。
【図６】前枠、ガラス枠を機裏側から見た場合の斜視図。
【符号の説明】
Ａ…外枠体（第１の枠体，枠体）、Ｂ…中枠体（第２の枠体，枠体）、Ｃ…前枠体（第３の枠体，枠体）、ａ１…外枠（枠体）、ｂ１…中枠（枠体）、ｂ２…機構枠（枠体）、ｃ１…前枠（枠体）、ｃ２…ガラス枠（支持枠，枠体）、Ｋ…機台、ＧＡ…板ガラス（透視保護部材）、１０…パチンコ遊技機（遊技機）、１１…遊技盤、１８…上皿（球皿）、２０…下皿（球皿）、２３…第１セット口（セット口）、３３…溢球通路（球通路を構成する）、３６…球タンク、３７…整流樋（球通路を構成する）、３８…区分供給経路部（球通路を構成する）、３９…払出装置、４０…案内通路（球通路を構成する）、４１…主制御基板（主制御装置）、４２…払出制御基板（払出制御装置）。
【図１】
2004073556.tif 000003
【図２】
2004073556.tif 000004
【図３】
2004073556.tif 000005
【図４】
2004073556.tif 000006
【図５】
2004073556.tif 000007
【図６】
2004073556.tif 000008